(57)【特許請求の範囲】
【請求項１】
通気性を有する素材により形成された検体採取部と該採取部に直接若しくは連結管を介して連設されたポンプ部とを具備して成り、採取付着した検体を前記ポンプ部で圧搾された空気により、溶解液中に剥離溶解し得るように構成したことを特徴とする検体採取器具。
【請求項２】
前記検体採取部を、選別濾過機能を有するように形成して成る請求項１に記載の器具。
【請求項３】
前記検体を溶解させた溶液を、濾過機能を兼備した前記検体採取部を通って前記ポンプ部に吸引留置し、ポンプ部に形成した排出部を開封することによって、前記濾過された溶液を取り出すように形成して成る請求項２に記載の器具。
【請求項４】
前記溶解液を、一端が閉鎖した筒状容器に収容し、該筒状容器は、前記溶液を前記ポンプ部に所定量吸引した後、前記連結管若しくはポンプ部に密嵌し得るように形成して成る請求項３に記載の器具。
【請求項５】
前記ポンプ部を、一端が閉鎖した筒状体に形成し、該筒状体を押圧変形させて空気を押しだし、押圧を解いて元の形状に復帰させることによって、空気を吸入するように形成して成る請求項４に記載の器具。
【請求項６】
前記請求項１〜５のいずれかに記載の検体採取器具を備えた保存容器、培養容器又は搬送容器。
【発明の詳細な説明】
【０００１】
【発明の属する技術分野】
この発明は、臨床検査、医療生物学的研究分野、農業林業水産生物学的研究分野及び検査等に於いて、検体採取，分離保存，検査同定等を簡便に行うことができる検体採取器具に関するものである。
【０００２】
【従来の技術】
検体採取器具としては、従来、綿棒、木べら、マッチ棒、楊枝、ガラス棒、合成樹脂成型品、ブラシ、刷毛等が、検体に応じて使用されている。
【０００３】
少量，微量の検体を採取する合成樹脂成型品に於いては、溝、穴若しくは凹凸を形成したり、小径の筒状に形成し、その凹凸部若しくは小径の孔に検体を留置している。
【０００４】
又、綿棒、ブラシ、刷毛等に於いては、その繊維間に検体を留置している。
【０００５】
【発明が解決しようとする課題】
上記従来の器具では、採取した検体を溶解液中に溶解させる際、検体が容易に器具から分離されない欠点があった。自然に分離させているが、これでは十分な溶解が得られないので、正確に検体を少量採取しても、当初の目的が達成されない場合もあった。
【０００６】
また、溶解液を器具から取り出す際、不溶解物を分離するため濾過材を通す場合があるが、濾過材が限られた面積のため目詰まりを起こす問題があった。そのため取り出すことが不可能となり、器具そのものを廃棄せざるを得なくなり、再度採取しなければならない場合があった。再度採取することは、非能率的であるだけでなく検体採取時の再現性を著しく損なうものであった。
【０００７】
更に、従来の採取器具は、検体そのものを分取する形で採取するので、少量の検体の採取には不適な欠点があった。
従って、従来の採取器具は、未だ十分満足すべきものではなかった。
【０００８】
この発明は、このような点に着目してなされたものであり、検体が溶解液に容易に溶解すると共に濾過面積を広く取ることができ、目詰まりを防止できる検体採取器具を提供することを目的とする。
【０００９】
【課題を解決するための手段】
上記目的に沿う本発明の構成は、通気性を有する素材により形成された検体採取部と該採取部に直接若しくは連結管を介して連設されたポンプ部とを具備して成り、採取付着した検体を前記ポンプ部で圧搾された空気により、溶解液中に剥離溶解し得るように構成したことを特徴とする。
【００１０】
前記検体を溶解させた溶液は、濾過機能を兼備した検体採取部を通って前記ポンプ部に吸引留置し、ポンプ部に形成した排出部を開封することによって、前記濾過された溶液を取り出すように形成している。
【００１１】
【発明の実施の形態】
次に、本発明の実施の形態を図面に基づいて説明する。
図に示す実施例は、大腸癌の集団検診に用いられる採便容器としての例である。
【００１２】
図１に示すように、検体採取器５は、弾性材料から筒状に形成したポンプ部１と、該ポンプ部１に連設した小径の筒状体２と、該筒状体２の先端に装着した検体採取部３と、筒状体２に形成した密嵌部（ネジ部若しくは凸状）に密嵌する容器部４とから構成されている。
【００１３】
ポンプ部１は、押しつぶして空気を吐出し、膨らませて空気を吸引し得るようなゴム若しくは軟質プラスチックから形成されている。
【００１４】
上記実施例では、ポンプ部１に小径の筒状体（連結管）２を密嵌溶着させているが、これは一体的に形成しても勿論良い。上記実施例では、小径の筒状体の後端には、大径の筒状体１０が連設され、該筒状体１０にポンプ部１を密嵌装着させている。
【００１５】
検体採取部３の材質としては、連続気泡の発泡体、焼結プラスチック、焼結セラミック等のように通気性及び水不溶性で十分な強度のあるものであればどのようなものでも差し支えない。
【００１６】
検体採取部３の材質としては、特に選別濾過機能を有するものが良い。例えば、上記連続気泡の発泡体等の気孔率、剛性、化学処理等を選択して、使用目的に応じた選別濾過機能を付与させると良い。
【００１７】
採取部３の形状は、採取する検体の性状に応じて、種々の適切な形状に形成すると良い。
本発明の採取部３は、通気性があるので、液状検体を吸引，絡め取ることができ、また採取部３の硬度，形状を選択することによって、固化検体の内外部を採取することができる。
【００１８】
検体採取器５には、容器部（キャップ）６が嵌合若しくは螺合等によって、密栓（密嵌）状態となるようになっている。このように形成することによって、ポンプ部１に所定量の溶液を吸引した後、容器部６を密嵌させることによって、溶液を留置できる。
【００１９】
上記実施例では、連結管５に形成したねじ部若しくは凸条８に、容器部６を密嵌し得るように形成しているが、密栓できるなら必ずしもこのようでなくとも良い。
【００２０】
容器部６は、図２に示すように、予め溶解液を充填した状態としておくのが良いが、図１に示すように単に検体採取部３の衛生性保護のためのキャップとし、使用時に溶解液を充填させるようにしても良い。
【００２１】
検体採取部３は、連結部２に圧入嵌合させて一体的に連結している。ポンプ部１による加減圧に耐えるなら、連結手段は特に限定されない。
【００２２】
ポンプ部１の他端には、小径のパイプ状の滴下部９が形成されている。この滴下部９の先端を切断若しくは穿孔して、ポンプ部１に留置した溶液を滴下するようになっている。
【００２３】
滴下部９は、単に薄肉部に形成して、穿孔して開口するようにしても勿論差し支えない。
【００２４】
次に、上記のように構成された本発明の検体採取器具の使用方法を説明する。まず、図３に示すように、ポンプ部１を手で持って検体採取部３を検体（本実施例では糞便）に刺すか或は検体表面を擦する。液状便の場合は、表面に吸収させる。
【００２５】
次いで、図４に示すように、引き上げる。検体採取部に検体が付着するが、余剰の検体は、紙等で拭き取る。
【００２６】
それから、図２に示す溶解液の収容された容器部４の口部７から蓋体６を引き抜いて、図５に示すように、容器部４の口部７から検体採取器５を挿入する。
【００２７】
図６及び図７に示すように、検体採取部３を溶解液中に没入させた状態で、ポンプ部１の圧搾、開放を繰り返す。圧搾することによって空気と共に剥離された検体は、溶解液に溶解し、開放することによって、検体を溶解した液体が、検体採取部３で濾過され、ポンプ部１内に吸入される。
【００２８】
ポンプ部１内に十分量の検体を吸入したところで、図８に示すように、容器部４を検体採取器５の密栓部（ネジ部若しくは凸状）８に密嵌若しくは螺合して、連結密封する。通常採便容器としては、連結密封された部分を再度開封する必要はないので、連結密封し得るならその密栓手段は特に限定されない。
【００２９】
次いで、滴下部９の先端を切断して開口し、図９に示すように倒立させ、反応紙上に所要量の溶液を滴下する。
【００３０】
本発明によれば、採取部に付着した検体は、ポンプ部で圧搾された空気と共に溶解液中に剥離されるので、加圧された空気が溶解液中に泡となって排出され、検体を撹拌するから、検体の溶解が容易となると共に少量採取に適している。
【００３１】
また本発明によれば、検体採取部が濾過材を兼ねているので、濾過面積を大きく取ることができ、目詰まりが起こり難くなる。
更に、目詰まりし易い検体の場合でも、ポンプ部の圧搾、開放を繰り返すことによって、剥離、吸引が繰り返されるから、ポンプ部に十分な量の溶解液を留置することができる。
【００３２】
本発明の検体採取器具は、検体採取具としてだけでなく、検体採取器具を備えた保存容器、培養容器又は搬送容器等として使用することもできる。
【００３３】
【発明の効果】
以上述べた如く、本発明によれば、検体の溶解液中への溶解が極めて容易となるほか、濾過に際して目詰まりが起こらないというこの種従来の採取器具には見られない顕著な効果を奏する。
【００３４】
【図面の簡単な説明】
【図１】本発明の実施例を示す一部断面図である。
【図２】本発明の容器部の断面図である。
【図３】本発明の採取器具を使用して検体を採取する状態を示す断面図である。
【図４】本発明の採取器具を検体から引き上げた状態を示す断面図である。
【図５】本発明の採取部を溶解液中に没入させる状態を示す断面図である。
【図６】ポンプ部を圧搾して検体を剥離させる状態を示す断面図である。
【図７】ポンプ部を開放して検体を吸入する状態を示す断面図である。
【図８】ポンプ部内に溶解液を吸入留置した状態を示す断面図である。
【図９】滴下部を開栓して溶解液を滴下する状態を示す断面図である。
【符号の説明】
１              ポンプ部
２              連結部（連結管）
３              検体採取部
４              容器部（キャップ）
５              検体採取器
【図１】
0003814395.tif 000002
【図２】
0003814395.tif 000003
【図３】
0003814395.tif 000004
【図４】
0003814395.tif 000005
【図５】
0003814395.tif 000006
【図６】
0003814395.tif 000007
【図７】
0003814395.tif 000008
【図８】
0003814395.tif 000009
【図９】
0003814395.tif 000010